(57)【要約】【課題】液晶パネルの表示面と開口を構成する前パネルの縁部との間に形成される隙間を確実に規制する上で有利な液晶表示装置、液晶モジュール並びに液晶表示装置の前パネルを提供する。【解決手段】液晶モジュール２１は、液晶パネル２２と、バックライト装置２４と、それらを保持するシャーシ２６などを含んで構成されている。液晶パネル２２は、表示面を開口１４０２に臨ませた状態で液晶パネル２２の外周がシャーシ２６により前後方向から挟持されて筐体１２の内部に配設されている。前パネル１４０１の後面で開口１４０２寄りの箇所からフック５０が後方に突出し、このフック５０は、液晶パネル２２の外周を挟持するシャーシ２６の部分に係合してシャーシ２６の部分の後方への変位を阻止している。【選択図】図４
2008090165.tif 000002
【特許請求の範囲】
【請求項１】
前方に臨みその内側に開口が形成された前パネルを有する筐体と、
表示面を有する液晶パネルと、
前記液晶パネルの外周を前後方向から挟持し前記表示面を前記開口に臨ませ前記液晶パネルを前記筐体の内部に配設するシャーシと、
を備える液晶表示装置であって、
前記前パネルの後面で前記開口寄りの箇所から後方に突出し前記液晶パネルの外周を挟持する前記シャーシの部分に係合して前記シャーシの部分の後方への変位を阻止するフックが設けられている、
ことを特徴とする液晶表示装置。
【請求項２】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記フックは、前記前挟持片に係合し前記前挟持片の後方への変位を阻止している、
ことを特徴とする請求項１記載の液晶表示装置。
【請求項３】
前記液晶表示装置は、前記液晶パネルの後方に配設されたバックライト装置を含んで構成され、
前記シャーシは、前記バックライト装置を保持するボトムシャーシおよびミドルシャーシと、それらシャーシに連結されたトップシャーシとを備え、
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記前挟持片は前記トップシャーシに設けられ、前記後挟持片は前記ミドルシャーシに設けられている、
ことを特徴とする請求項１記載の液晶表示装置。
【請求項４】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記液晶パネル寄りの前記前挟持片の箇所に切り欠きが形成され、
前記フックは、前記切り欠きの周囲を構成する縁の部分で前記液晶パネル寄りの箇所に係合している、
ことを特徴とする請求項１記載の液晶表示装置。
【請求項５】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記液晶パネルの表示面の外周との間に弾性体を介在させ、かつ、前記後挟持片と前記液晶パネルの後面の外周との間に弾性体を介在させた状態で前記前挟持片と前記後挟持片によりなされている、
ことを特徴とする請求項１記載の液晶表示装置。
【請求項６】
前記フックは、前記前パネルの後面から後方に突出する脚部と、この脚部の後端から該脚部の突出方向と交差する方向に突出し前記シャーシの部分に係合する爪部とを備え、
前記脚部はその突出する方向に対して交差する方向に弾性変形可能に形成されている、
ことを特徴とする請求項１記載の液晶表示装置。
【請求項７】
前記フックは、前記前パネルの後面から後方に突出する脚部と、この脚部の後端から該脚部の突出方向と交差する方向に突出する爪部とを備え、
前記脚部はその突出する方向に対して交差する方向に弾性変形可能に形成され、
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記前挟持片は、前方に臨む前面と、前記液晶パネルの表示面に臨む後面とを有し、
前記液晶パネル寄りの前記前挟持片の箇所に切り欠きが形成され、
前記フックは、前記脚部が前記切り欠きを通り前記爪部が前記前挟持片の後面の前記切り欠きの周囲を構成する縁の部分で前記液晶パネル寄りの箇所に係合している、
ことを特徴とする請求項１記載の液晶表示装置。
【請求項８】
前記フックは、前記前パネルの後面から後方に突出する脚部と、この脚部の後端から該脚部の突出方向と交差する方向に突出する爪部とを備え、
前記脚部はその突出する方向に対して交差する方向に弾性変形可能に形成され、
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記前挟持片は、前方に臨む前面と、前記液晶パネルの表示面に臨む後面とを有し、
前記液晶パネル寄りの前記前挟持片の箇所に切り欠きが形成され、
前記フックは、前記脚部が前記切り欠きを通り前記爪部が前記前挟持片の後面の前記切り欠きの周囲を構成する縁の部分で前記液晶パネル寄りの箇所に係合し、
前記前パネルは合成樹脂製で、前記フックは前記前パネルに一体に形成され、
前記液晶表示装置は、前記液晶パネルの後方に配設されたバックライト装置を含んで構成され、
前記シャーシは、前記バックライト装置を保持するボトムシャーシおよびミドルシャーシと、それらシャーシに連結された金属製のトップシャーシとを備え、
前記前挟持片は前記トップシャーシに設けられ、
前記爪部が係合した前記前挟持片の前記切り欠きの周囲を構成する縁の部分と、前記脚部との間に隙間が確保されている、
ことを特徴とする請求項１記載の液晶表示装置。
【請求項９】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記前挟持片は、前方に臨む前面と、前記液晶パネルの表示面に臨む後面とを有し、
前記液晶パネル寄りの前記前挟持片の箇所に後方に窪む凹部が設けられ、
前記凹部の底部に切り欠きが形成され、
前記フックは、前記前パネルの後面から後方に突出する脚部と、この脚部の後端から該脚部の突出方向と交差する方向に突出する爪部とを備え、
前記フックは、前記脚部が前記切り欠きを通り前記爪部が前記前挟持片の後面の前記切り欠きの周囲を構成する縁の部分で前記液晶パネル寄りの箇所に係合しており、
前記前パネルは合成樹脂製で、前記フックは前記前パネルに一体に形成され、
前記シャーシは、前記バックライト装置を保持するボトムシャーシおよびミドルシャーシと、それらシャーシに連結された金属製のトップシャーシとを備え、
前記前挟持片は前記トップシャーシに設けられ、
前記脚部はその突出する方向に対して交差する方向に弾性変形可能に形成されている、
ことを特徴とする請求項１記載の液晶表示装置。
【請求項１０】
前記液晶パネルは矩形状を呈し、
前記フックは、前記液晶パネルの各辺に対応した１箇所にそれぞれ設けられている、
ことを特徴とする請求項１記載の液晶表示装置。
【請求項１１】
前記液晶パネルは矩形状を呈し、
前記フックは、前記液晶パネルの４辺に対応した箇所においてそれぞれそれら辺の延在方向に間隔をおいて複数設けられている、
ことを特徴とする請求項１記載の液晶表示装置。
【請求項１２】
前方に臨みその内側に開口が形成された前パネルを有する筐体と、
表示面を有する液晶パネルと、
前記液晶パネルの外周を前後方向から挟持し前記表示面を前記開口に臨ませ前記液晶パネルを前記筐体の内部に配設するシャーシと、
を備える液晶表示装置であって、
前記前パネルの後面で前記開口寄りの箇所から後方に突出し前記液晶パネルの後面に係合して前記液晶パネルの後方への変位を阻止するフックが設けられている、
ことを特徴とする液晶表示装置。
【請求項１３】
前記シャーシの前記開口寄りの箇所に切り欠きが設けられ、
前記フックは、前記切り欠きを通って後方に突出し前記液晶パネルの後面に係合している、
ことを特徴とする請求項１２記載の液晶表示装置。
【請求項１４】
前記フックは、前記前パネルの後面から後方に突出する脚部と、この脚部の後端から該脚部の突出方向と交差する方向に突出し前記液晶パネルの後面に係合する爪部とを備え、
前記脚部はその突出する方向に対して交差する方向に弾性変形可能に形成され、
前記液晶パネルと前記脚部との間に隙間が確保されている、
ことを特徴とする請求項１２記載の液晶表示装置。
【請求項１５】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記切り欠きは、前記前挟持片と前記後挟持片の双方に形成されている、
ことを特徴とする請求項１２記載の液晶表示装置。
【請求項１６】
前記液晶表示装置は、前記液晶パネルの後方に配設されたバックライト装置を含んで構成され、
前記シャーシは、前記バックライト装置を保持するボトムシャーシおよびミドルシャーシと、それらシャーシに連結されたトップシャーシとを備え、
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記後挟持片とによりなされ、
前記前挟持片は前記トップシャーシに設けられ、前記後挟持片は前記ミドルシャーシに設けられ、
前記切り欠きは、前記前挟持片と前記後挟持片の双方に形成されている、
ことを特徴とする請求項１２記載の液晶表示装置。
【請求項１７】
前記シャーシは、前記液晶パネルの表示面の外周に臨む前挟持片と、前記液晶パネルの後面の外周に臨む後挟持片とを有し、
前記液晶パネルの外周の挟持は、前記前挟持片と前記液晶パネルの表示面の外周との間に弾性体を介在させ、かつ、前記後挟持片と前記液晶パネルの後面の外周との間に弾性体を介在させた状態で前記前挟持片と前記後挟持片によりなされ、
前記切り欠きは、前記前挟持片と前記後挟持片の双方に形成されている、
ことを特徴とする請求項１２記載の液晶表示装置。
【請求項１８】
前記液晶パネルは矩形状を呈し、
前記フックは、前記液晶パネルの４辺に対応した４箇所にそれぞれ設けられている、
ことを特徴とする請求項１２記載の液晶表示装置。
【請求項１９】
前記液晶パネルは矩形状を呈し、
前記フックは、前記液晶パネルの４辺に対応した箇所においてそれぞれそれら辺の延在方向に間隔をおいて複数設けられている、
ことを特徴とする請求項１２記載の液晶表示装置。
【請求項２０】
液晶パネルと、この液晶パネルの後方に配設されたバックライト装置と、前記液晶パネルおよび前記バックライト装置を保持するシャーシとを含んで構成され、
前記液晶パネルの保持は、前記シャーシにより前記液晶パネルの外周を挟持することでなされ、
前記液晶パネル寄りの前記シャーシの箇所に、フックを後方から係合させ前記シャーシの箇所の後方への変位を阻止するための切り欠きが形成されている、
ことを特徴とする液晶モジュール。
【請求項２１】
液晶パネルと、この液晶パネルの後方に配設されたバックライト装置と、前記液晶パネルおよび前記バックライト装置を保持するシャーシとを含んで構成され、
前記シャーシは、前記液晶パネルの表示面の外周に臨む前挟持片と、前記液晶パネルの後面の外周に臨む後挟持片とを有し、
前記液晶パネルの保持は、前記前挟持片と前記後挟持片とにより前記液晶パネルの外周を挟持することでなされ、
前記前挟持片は、前方に臨む前面と、前記液晶パネルの表示面に臨む後面とを有し、
前記液晶パネル寄りの前記前挟持片の箇所に、フックを前記前挟持片の後面から係合させ前記箇所の後方への変位を阻止するための切り欠きが形成されている、
ことを特徴とする液晶モジュール。
【請求項２２】
液晶パネルと、この液晶パネルの後方に配設されたバックライト装置と、前記液晶パネルおよび前記バックライト装置を保持するシャーシとを含んで構成され、
前記液晶パネルの保持は、前記シャーシにより前記液晶パネルの外周を挟持することでなされ、
前記液晶パネル寄りの前記シャーシの箇所に、フックを後方から前記液晶パネルの後面に係合させ前記液晶パネルの後方への変位を阻止するための切り欠きが形成されている、
ことを特徴とする液晶モジュール。
【請求項２３】
液晶パネルと、この液晶パネルの後方に配設されたバックライト装置と、前記液晶パネルおよび前記バックライト装置を保持するシャーシとを含んで構成され、
前記シャーシは、前記液晶パネルの表示面の外周に臨む前挟持片と、前記液晶パネルの後面の外周に臨む後挟持片とを有し、
前記液晶パネルの保持は、前記前挟持片と前記後挟持片とにより前記液晶パネルの外周を挟持することでなされ、
前記液晶パネル寄りの前記前挟持片および前記後挟持片の箇所に、フックを後方から前記液晶パネルの後面に係合させ前記液晶パネルの後方への変位を阻止するための切り欠きがそれぞれ形成されている、
ことを特徴とする液晶モジュール。
【請求項２４】
前方に臨みその内側に液晶パネルの表示面を臨ませる開口が形成された液晶表示装置の前パネルであって、
前記前パネルの後面で前記開口寄りの箇所に、前記液晶パネルを挟持するシャーシの部分に係合するフックが後方に突設されている、
ことを特徴とする液晶表示装置の前パネル。
【請求項２５】
前方に臨みその内側に液晶パネルの表示面を臨ませる開口が形成された液晶表示装置の前パネルであって、
前記前パネルの後面で前記開口寄りの箇所に、前記液晶パネルの後面に係合するフックが後方に突設されている、
ことを特徴とする液晶表示装置の前パネル。
【発明の詳細な説明】
【技術分野】
【０００１】
本発明は液晶表示装置、液晶モジュール並びに液晶表示装置の前パネルに関する。
【背景技術】
【０００２】
液晶表示装置を用いたテレビジョン装置やパーソナルコンピュータのディスプレイ装置などが提供されている。
このような液晶表示装置は、筐体と、筐体の内部に組み込まれた液晶モジュールとを備えている。液晶モジュールは、液晶パネルと、液晶パネルの後方に配置されるバックライト装置と、それら液晶パネルおよびバックライト装置を保持するシャーシなどを備えている。
多くの場合、筐体は、前方に臨みその内側に矩形状の開口が形成された前パネルを備え、液晶パネルはその表示面を開口に臨ませて配設されている。
ところで、このような液晶表示装置においては、液晶パネルがその厚さ方向に外力を受けると、表示される画像の色や輪郭が乱れるため、液晶パネルの厚さ方向に外力が作用しないように、開口を構成する前パネルの縁部と、液晶パネルの表示面との間に所定の隙間を確保する必要がある。
一方、開口を構成する前パネルの縁部と、液晶パネルの表示面との間に形成される隙間が開きすぎると、筐体内部の構造物などがユーザーから見えてしまい美観を損ねる不都合が生じるため、前記隙間を所定の寸法以上に広がらないように規制する必要がある。
そこで、従来では、前パネルに設けたフックを、バックライト装置を保持するシャーシの外縁部分に係合させることで前パネルをバックライト装置に取り付ける構造が提案されている（特許文献１）。
【特許文献１】特開２００３−１９５２６３
【発明の開示】
【発明が解決しようとする課題】
【０００３】
しかしながら、上述した従来構造では、フックを、バックライト装置を保持するシャーシの外縁部分に係合させているため、フックにより後方への変位を規制する箇所と液晶パネルの縁部との距離が大きくならざるを得ず、そのためフックにより液晶パネルの後方への変位を効果的に規制し難く、したがって、前記隙間が広がりやすく、特に、液晶パネルが大型化するほど、フックと開口の縁部との距離が拡大し前記隙間が広がりやすく、美観を損ねることが懸念される。
本発明はこのような事情に鑑みなされたものであり、その目的は、液晶パネルの表示面と開口を構成する前パネルの縁部との間に形成される隙間を確実に規制する上で有利な液晶表示装置、液晶モジュール並びに液晶表示装置の前パネルを提供することにある。
【課題を解決するための手段】
【０００４】
上述の目的を達成するため、本発明の液晶表示装置は、前方に臨みその内側に開口が形成された前パネルを有する筐体と、表示面を有する液晶パネルと、前記液晶パネルの外周を前後方向から挟持し前記表示面を前記開口に臨ませ前記液晶パネルを前記筐体の内部に配設するシャーシとを備えるものであって、前記前パネルの後面で前記開口寄りの箇所から後方に突出し前記液晶パネルの外周を挟持する前記シャーシの部分に係合して前記シャーシの部分の後方への変位を阻止するフックが設けられていることを特徴とする。
また本発明の液晶表示装置は、前方に臨みその内側に開口が形成された前パネルを有する筐体と、表示面を有する液晶パネルと、前記液晶パネルの外周を前後方向から挟持し前記表示面を前記開口に臨ませ前記液晶パネルを前記筐体の内部に配設するシャーシとを備えるものであって、前記前パネルの後面で前記開口寄りの箇所から後方に突出し前記液晶パネルの後面に係合して前記液晶パネルの後方への変位を阻止するフックが設けられていることを特徴とする。
また本発明の液晶モジュールは、液晶パネルと、この液晶パネルの後方に配設されたバックライト装置と、前記液晶パネルおよび前記バックライト装置を保持するシャーシとを含んで構成され、前記液晶パネルの保持は、前記シャーシにより前記液晶パネルの外周を挟持することでなされ、前記液晶パネル寄りの前記シャーシの箇所に、フックを後方から係合させ前記シャーシの箇所の後方への変位を阻止するための切り欠きが形成されていることを特徴とする。
また本発明の液晶モジュールは、液晶パネルと、この液晶パネルの後方に配設されたバックライト装置と、前記液晶パネルおよび前記バックライト装置を保持するシャーシとを含んで構成され、前記シャーシは、前記液晶パネルの表示面の外周に臨む前挟持片と、前記液晶パネルの後面の外周に臨む後挟持片とを有し、前記液晶パネルの保持は、前記前挟持片と前記後挟持片とにより前記液晶パネルの外周を挟持することでなされ、前記前挟持片は、前方に臨む前面と、前記液晶パネルの表示面に臨む後面とを有し、前記液晶パネル寄りの前記前挟持片の箇所に、フックを前記前挟持片の後面から係合させ前記箇所の後方への変位を阻止するための切り欠きが形成されていることを特徴とする。
また本発明の液晶モジュールは、液晶パネルと、この液晶パネルの後方に配設されたバックライト装置と、前記液晶パネルおよび前記バックライト装置を保持するシャーシとを含んで構成され、前記液晶パネルの保持は、前記シャーシにより前記液晶パネルの外周を挟持することでなされ、前記液晶パネル寄りの前記シャーシの箇所に、フックを後方から前記液晶パネルの後面に係合させ前記液晶パネルの後方への変位を阻止するための切り欠きが形成されていることを特徴とする。
また本発明の液晶モジュールは、液晶パネルと、この液晶パネルの後方に配設されたバックライト装置と、前記液晶パネルおよび前記バックライト装置を保持するシャーシとを含んで構成され、前記シャーシは、前記液晶パネルの表示面の外周に臨む前挟持片と、前記液晶パネルの後面の外周に臨む後挟持片とを有し、前記液晶パネルの保持は、前記前挟持片と前記後挟持片とにより前記液晶パネルの外周を挟持することでなされ、前記液晶パネル寄りの前記前挟持片および前記後挟持片の箇所に、フックを後方から前記液晶パネルの後面に係合させ前記液晶パネルの後方への変位を阻止するための切り欠きがそれぞれ形成されていることを特徴とする。
また本発明の前パネルは、前方に臨みその内側に液晶パネルの表示面を臨ませる開口が形成された液晶表示装置の前パネルであって、前記前パネルの後面で前記開口寄りの箇所に、前記液晶パネルを挟持するシャーシの部分に係合するフックが後方に突設されていることを特徴とする。
また本発明の前パネルは、前方に臨みその内側に液晶パネルの表示面を臨ませる開口が形成された液晶表示装置の前パネルであって、前記前パネルの後面で前記開口寄りの箇所に、前記液晶パネルの後面に係合するフックが後方に突設されていることを特徴とする。
【発明の効果】
【０００５】
本発明によれば、液晶パネルの後方への変位を効果的に防止でき、したがって、液晶パネルの表示面と前パネルの開口の縁部との間に形成される隙間を確実に規制でき、美観の向上を図る上で有利となる。
【発明を実施するための最良の形態】
【０００６】
（第１の実施の形態）
次に、本発明の第１の実施の形態について図面を参照して説明する。
まず、第１の実施の形態の液晶表示装置２０を用いたテレビジョン装置１０について説明する。
図１は第１の実施の形態の液晶表示装置２０を用いたテレビジョン装置１０の斜視図、図２は同分解斜視図である。
図１に示すように、テレビジョン装置１０は、外装を構成する筐体１２と、筐体１２の下部に設けられ載置面に載置されるスタンド１２Ａとを備えている。
筐体１２は、前部筐体１４と後部筐体１６とを備えて矩形板状を呈し、図中符号１８は左右のスピーカーを示し、筐体１２はテレビジョン装置１０の筐体であり、液晶表示装置２０の筐体でもある。
前部筐体１４は前方に臨む前パネル１４０１を有し、前パネル１４０１の内側には矩形状の開口１４０２が形成されている。
【０００７】
液晶表示装置２０は液晶モジュール２１を含んで構成され、図２に示すように、液晶モジュール２１は筐体１２の内部に組み込まれている。なお、液晶表示装置２０は液晶モジュール２１と筐体１２とで構成されている。
図３は液晶モジュール２１の分解斜視図、図４は図１のＡＡ線断面図である。
図３に示すように、液晶モジュール２１は、液晶パネル２２と、バックライト装置２４と、それらを保持するシャーシ２６などを含んで構成されている。シャーシ２６は、図４に示すように、ボトムシャーシ３２、ミドルシャーシ３４、トップシャーシ３６などを含んで構成されている。
図３において、符号２８は液晶パネル２２を駆動する駆動回路を構成する駆動基板を示し、駆動基板２８はフレキシブル基板２８０２を介して液晶パネル２２の上縁に接続されている。
また、図２において、符号３０は各部に電源を供給する電源回路やテレビジョン信号を受信して映像信号や音声信号を再生するチューナー回路などの種々の電子回路を構成する基板部を示し、基板部３０は液晶モジュール２１の後部に位置するボトムシャーシ３２にねじを介して取着されている。
なお、駆動基板２８や基板部３０は液晶モジュール２１の一部を構成するものである。
【０００８】
液晶モジュール２１は筐体１２に保持され、詳細には液晶モジュール２１は、シャーシ２６が筐体１２に保持されることで筐体１２の内部に配設されている。
本実施の形態では、図２に示すように、シャーシ２６（トップシャーシ３６）の４隅と、後部筐体１６の４隅とにそれぞれにねじ挿通孔を設け、前部筐体１４の４隅に雌ねじを設け、ねじ２を後部筐体１６のねじ挿通孔とトップシャーシ３６のねじ挿通孔を介して前部筐体１４の雌ねじに締結することによって液晶モジュール２１が筐体１２に保持されている。なお、このような筐体１２への液晶モジュール２１の配設構造は従来公知のさまざまな構成が採用可能である。
【０００９】
図３に示すように、液晶パネル２２は矩形板状を呈している。
液晶パネル２２は、２枚の透明なガラス基材と、それらガラス基材の間に挟まれた液晶層と、それらガラス基材の内面に設けられた透明電極と、カラーフィルターと、偏光板などを含んで構成されている。
より詳細には、液晶パネル２２は、ガラスなどで構成された２枚の透明な基板を互いに対向配置させ、その間隙に、液晶を封入した液晶層を設けて構成されている。
一方の基板には、マトリクス状に配置された信号線、走査線、信号線と走査線の交点に配置されたスイッチング素子（薄膜トランジスタ）、画素電極などが形成されている。スイッチング素子は走査線により順次選択されると共に、信号線から供給される映像信号を、対応する画素電極に書き込む。
他方の基板には、対向電極、カラーフィルターが形成されている。
カラーフィルターは各画素に対応した複数のセグメントに分割されており、例えば、３原色である、赤色フィルタ、緑色フィルタ、青色フィルタの３つのセグメントに分割されている。
さらに、これら２枚の基板は２枚の偏光板で挟まれている。
なお、このような液晶パネル２２自体の構造には従来公知のさまざまな構成が採用可能である。
【００１０】
バックライト装置２４は、液晶パネル２２の後面に照明光を照射するもので、このように照明光を照射した状態で、画像表示用の駆動信号が走査線、信号線、対向電極に供給され液晶層の液晶が駆動されることで液晶パネル２２の表示面に画像が表示される。
図４に示すように、バックライト装置２４は、ボトムシャーシ３２に形成された前方に開放状の凹部３８と、この凹部３８の内側に設けられ前方に開放状の照明用空間４０を仕切る反射シート４２と、照明用空間４０に配設される蛍光管４４と、照明用空間４０の前部を閉塞する拡散板４６および光学シート４８などを含んで構成されている。
蛍光管４４は、電流が供給されることにより白色光を発光する冷陰極管（蛍光ランプ）で構成されている。
より詳細には、蛍光管４４は、両側に電極が形成され、内壁に所定の蛍光材料が塗布され、管内にＨｇ（水銀）、Ｘｅ（キセノン）などの希ガスが封入されている。蛍光管４４はそれら電極に電流が流されると、フィラメントから熱電子が管内に放出され、放電が始まり、熱電子が管内のＨｇ原子と衝突して励起され、紫外線を放射する。Ｈｇ原子は、紫外線を放射することにより基底状態となる。そして、この紫外線が管壁に塗布されている蛍光材料により吸収されて白色光を外部に出射する。
【００１１】
反射シート４２は高い反射率を有する材料で形成され、蛍光管４４から照射された光を拡散板４６に反射して導くものであり、このような反射シート４２として、従来公知のさまざまな市販品や材料が採用可能である。
拡散板４６は、蛍光管４４から照射された光、および、反射板３２で拡散板４６に反射された光の双方を拡散させて液晶パネル２２を後方から照射させるものであり、拡散板４６は半透明な材料で形成されている。
このような拡散板４６を構成する半透明な材料として、例えば、ポリスチレン樹脂あるいはＭＳ樹脂（スチレン−メチルメタクリレート樹脂）などの従来公知のさまざまな材料が採用可能である。
光学シート４８は、拡散板４６からの光を液晶パネル２２に導くものであり、光学シート４８は、拡散板４６が液晶パネル２２に臨む面に設けられている。光学シート４８は、従来公知のさまざまな市販品や材料が採用可能である。
なお、拡散板４６および光学シート４８は、例えば、ミドルシャーシ３４から突設された押さえ片によりボトムシャーシ３２に押し付けるなど、拡散板４６および光学シート４８の配設構造には従来公知のさまざまな構成が採用可能である。
【００１２】
次に液晶パネル２２の配設構造について説明する。
図５は前パネル１４０１の後面に形成されたフック５０の斜視図、図６はトップシャーシ３６に形成された切り欠き５８の斜視図である。
液晶パネル２２は、表示面を開口１４０２に臨ませた状態でシャーシ２６により液晶パネル２２の外周が前後方向から挟持されて筐体１２の内部に配設されている。
そして、前パネル１４０１の後面で開口１４０２寄りの箇所からフック５０が後方に突出し、このフック５０は、液晶パネル２２の外周を挟持するシャーシ２６の部分に係合してシャーシ２６の部分の後方への変位を阻止している。
詳細に説明すると、図４に示すように、トップシャーシ３６には、液晶パネル２２の外周に沿って、前方から液晶パネル２２の表示面の外周に臨む前挟持片５２が設けられている。
また、ミドルシャーシ３４には、液晶パネル２２の外周に沿って、後方から液晶パネル２２の後面の外周に臨む後挟持片５４が設けられている。
そして、液晶パネル２２の外周の挟持は、前挟持片５２と後挟持片５４とによりなされている。
本実施の形態では、液晶パネル２２の外周の挟持は、前挟持片５２と液晶パネル２２の表示面の外周との間に弾性体５６Ａを介在させ、かつ、後挟持片５４と液晶パネル２２の後面の外周との間に弾性体５６Ｂを介在させた状態で前挟持片５２と後挟持片５４によりなされている。
【００１３】
本実施の形態では、液晶パネル２２寄りの前挟持片５２の箇所に、絞り加工により後方に窪む凹部５８が設けられている。
そして、この凹部５８の底部に切り欠き６０が形成されている。
フック５０は、前挟持片５２の切り欠き６０の周囲を構成する縁の部分で液晶パネル２２寄りの箇所に係合している。
【００１４】
図４、図５に示すように、フック５０は、前パネル１４０１の後面から後方に突出する脚部５０Ａと、この脚部５０Ａの後端から該脚部５０Ａの突出方向と交差する方向に突出する爪部５０Ｂとを備えている。
フック５０は前パネル１４０１に一体に形成され、前パネル１４０１は合成樹脂製であり、脚部５０Ａはその突出する方向に対して交差する方向に弾性変形可能に形成されている。なお、前パネル１４０１を構成する合成樹脂材料としては、例えば、ＡＢＳ樹脂、ポリスチレン樹脂など従来公知のさまざまな材料が採用可能である。
フック５０は、液晶パネル２２の４辺に対応した４箇所にそれぞれ設けられ、本実施の形態では、フック５０は、液晶パネル２２の４辺に対応した箇所においてそれぞれそれら辺の延在方向に間隔をおいて複数（２つ）設けられている。
本実施の形態では、脚部５０Ａは矩形の開口１４０２の辺の延在方向に間隔をおいた２箇所からそれぞれ突設され、爪部５０Ｂはそれら脚部５０Ａを接続する接続部５０Ｃから突設されている。
図４に示すように、前挟持片５２は前方に臨む前面と、液晶パネル２２の表示面に臨む後面とを有し、フック５０の爪部５０Ｂが、前挟持片５２の後面の切り欠き６０の周囲を構成する縁の部分で液晶パネル２２寄りの箇所に係合している。
また、切り欠き６０の周囲を構成する縁の部分と脚部５０Ａとの間には隙間Ｓ１が確保されている。
なお、前パネル１４０１、ミドルシャーシ３４は合成樹脂製で、ボトムシャーシ３２、トップシャーシ３６は金属製である。
【００１５】
本実施の形態によれば、前パネル１４０１の後面に設けられたフック５０が液晶パネル２２の外周を挟持するシャーシ２６の部分に係合してシャーシ２６の部分の後方への変位を阻止する。
その際、フック５０は前パネル１４０１の後面で開口１４０２寄りの箇所から後方に突出しているので、フック５０を、液晶パネル２２寄りのシャーシ２６の部分に近接でき、言い換えると、フック５０を液晶パネル２２の縁部に近接でき、したがって、液晶パネル２２の後方への変位を効果的に防止できる。
したがって、液晶パネル２２の表示面と前パネル１４０１の開口１４０２の縁部との間に形成される隙間を確実に規制でき、美観の向上を図る上で有利となる。特に、液晶パネルが大型化し前記隙間が広がりやすい場合においても前記隙間を確実に規制でき美観の向上を図る上で有利となる。
【００１６】
また、本実施の形態では次のような効果も奏される。
前パネル１４０１が合成樹脂材料で形成され、かつ、トップシャーシ３６が金属材料で形成されており、したがって、前パネル１４０１の熱膨張率がトップシャーシ３６の熱膨張率よりも大きな値であり、組み立て時における隙間Ｓ１がほぼ無い状態でフック５０の脚部５０Ａがトップシャーシ３６の切り欠き６０の周囲を構成する縁の部分にほぼ当接しているものと仮定する。
この場合、テレビジョン装置１０の環境温度が前記組み立て時の環境温度よりも大きく低下すると、前パネル１４０１が大きく収縮してフック５０の脚部５０Ａがトップシャーシ３６の切り欠き６０の周囲を構成する縁の部分に強く押圧され脚部５０Ａが大きな負荷を受けるので、フック５０の耐久性の向上を図る上で不利となる。
これに対して、本実施の形態のように隙間Ｓ１を確保しておくと、環境温度の変化が生じてフック５０の脚部５０Ａが切り欠き６０の周囲を構成する縁の部分に押圧されたとしてもその負荷は小さなもので済み、フック５０の耐久性の向上を図る上で有利となる。
また、本実施の形態では、脚部５０Ａは弾性変形可能であるため、脚部５０Ａは弾性変形することで前記負荷を十分に吸収することができ、フック５０の耐久性の向上をより一層図る上で有利となる。
また、筐体１２に振動や衝撃が加わった場合にも、フック５０の脚部５０Ａがトップシャーシ３６の切り欠き６０の周囲を構成する縁の部分に押圧され脚部５０Ａが負荷を受けることになるが、本実施の形態によれば、上述と同様の作用により脚部５０Ａが受ける負荷を低減できることは無論である。
【００１７】
また、本実施の形態では、フック５０を、液晶パネル２２の外周を挟持する前挟持片５２と後挟持片５４のうちの前挟持片５２に係合させるようにしたので、フック５０を後挟持片５４に係合させる場合に比べ、構造の簡易化、コストダウンを図る上で有利となっている。
また、本実施の形態では、トップシャーシ３６に絞り加工を施して前パネル１４０１から離間する方向に窪む凹部５８を形成し、この凹部５８の底部に切り欠き６０を形成し、この切り欠き６０の縁部にフック５０を係合させるようにしたので、筐体１２の前後の厚さを大きくすること無く脚部５０Ａの長さを大きな寸法にすることができ、脚部５０Ａの弾性変形を容易に行わせ、フック５０の耐久性の向上を図る上で有利となる。
【００１８】
なお、フック５０は前パネル１４０１に設けられていればよく、一体でも別体でもよいが、実施の形態のようにフック５０を前パネル１４０１と一体に設けると、部品点数を削減しコストダウンを図る上で有利となる。
また、本実施の形態では、フック５０を、液晶パネル２２の４辺に対応した箇所にそれぞれ複数設けた場合について説明したが、液晶パネル２２の各辺に対応した１箇所に設けるようにしてもよい。
また、本実施の形態では、フック５０を、２つの脚部５０Ａ、接続部５０Ｃ、爪部５０Ｂとで構成した場合について説明したが、フック５０を、１つの脚部５０Ａと１つの爪部５０Ｂとで構成してもよく、あるいは、フック５０を、３つの脚部５０Ａと１つの爪部５０Ｂとで構成してもよく、フック５０の構成は任意である。
【００１９】
（第２の実施の形態）
次に第２の実施の形態について説明する。
図７は第２の実施の形態の液晶表示装置２０の構成を示す断面図である。
第２の実施の形態が第１の実施の形態と異なるのは、フックを、シャーシ２６に係合させる代わりに、液晶パネル２２の後面に係合させている点であり、その他の構成は第１の実施の形態と同様であるため、第１の実施の形態と同様な箇所には図面に同一の符号を付してその説明を省略する。
前パネル１４０１の後面で開口１４０２寄りの箇所から後方に突出し液晶パネル２２の後面に係合して液晶パネル２２の後方への変位を阻止するフック７０が設けられている、
より詳細に説明すると、液晶表示装置２０は、液晶パネル２２の後方に配設されたバックライト装置２４を含んで構成され、第１の実施の形態と同様に、シャーシ２６は、バックライト装置２４を保持するボトムシャーシ３２およびミドルシャーシ３４と、それらシャーシに連結されたトップシャーシ３６とを備えている。
シャーシ２６は、液晶パネル２２の表示面の外周に臨む前挟持片５２と、液晶パネル２２の後面の外周に臨む後挟持片５４とを有し、液晶パネル２２の外周の挟持は、前挟持片５２と後挟持片５４とによりなされている。より詳細には、液晶パネル２２の外周の挟持は、前挟持片５２と液晶パネル２２の表示面の外周との間に弾性体５６Ａを介在させ、かつ、後挟持片５４と液晶パネル２２の後面の外周との間に弾性体５６Ｂを介在させた状態で前挟持片５２と後挟持片５４によりなされている。
前挟持片５２はトップシャーシ３６に設けられ、後挟持片５４はミドルシャーシ３４に設けられている。
そして、フック７０を挿通させる切り欠き７２、７４が前挟持片５２と後挟持片５４の双方に形成されている。
【００２０】
フック７０は、前パネル１４０１の後面から後方に突出する脚部７０Ａと、この脚部７０Ａの後端から該脚部７０Ａの突出方向と交差する方向に突出し液晶パネル２２の後面に係合する爪部７０Ｂとを備えている。
脚部７０Ａはその突出する方向に対して交差する方向に弾性変形可能に形成されている。
より詳細には、第１の実施の形態と同様に、脚部７０Ａは矩形の開口１４０２の辺の延在方向に間隔をおいた２箇所からそれぞれ突設され、爪部７０Ｂはそれら脚部７０Ａを接続する接続部７０Ｃから突設されている。
液晶パネル２２と脚部７０Ａとの間に、第１の実施の形態と同様に、隙間Ｓ２が確保されている。
フック７０は、液晶パネル２２の４辺に対応した４箇所にそれぞれ設けられ、本実施の形態では、フック７０は、液晶パネル２２の４辺に対応した箇所においてそれぞれそれら辺の延在方向に間隔をおいて複数（２つ）設けられている。
【００２１】
このような第２の実施の形態によっても第１の実施の形態と同様な効果が奏される。
すなわち、フック７０を前パネル１４０１の後面で開口１４０２寄りの箇所から後方に突出させ、このフック７０を液晶パネル２２の後面に直接係合させるようにしたので、液晶パネル２２の後方への変位を効果的に阻止する上で有利となる。
したがって、液晶パネル２２の表示面と前パネル１４０１の開口１４０２の縁部との間に形成される隙間を確実に規制でき、美観の向上を図る上で有利となる。特に、液晶パネル２２が大型化し隙間が広がりやすい場合においても隙間を確実に規制でき美観の向上を図る上で有利となる。
【００２２】
また、第２の実施の形態では次のような効果も奏される。
前パネル１４０１が合成樹脂材料で形成され、かつ、液晶パネル２２が２枚のガラス基材で形成されており、したがって、前パネル１４０１の熱膨張率が前記ガラス基材の熱膨張率よりも大きな値であり、組み立て時における隙間Ｓ２がほぼ無い状態でフック７０の脚部７０Ａが液晶パネル２２の周囲を構成する縁の部分にほぼ当接しているものと仮定する。
この場合、テレビジョン装置１０の環境温度が前記組み立て時の環境温度よりも大きく低下すると、前パネル１４０１が大きく収縮してフック７０の脚部７０Ａが液晶パネル２２の周囲を構成する縁の部分に強く押圧され脚部７０Ａが大きな負荷を受けるので、フック７０の耐久性の向上を図る上で不利となる。
これに対して、本実施の形態のように隙間Ｓ２を確保しておくと、環境温度の変化が生じてフック７０の脚部７０Ａが液晶パネル２２の周囲を構成する縁の部分に押圧されたとしてもその負荷は小さなもので済み、フック７０の耐久性の向上を図る上で有利となる。
また、本実施の形態では、脚部７０Ａは弾性変形可能であるため、脚部７０Ａは弾性変形することで前記負荷を十分に吸収することができ、フック７０の耐久性の向上をより一層図る上で有利となる。
また、筐体１２に振動や衝撃が加わった場合にも、フック７０の脚部７０Ａが液晶パネル２２の周囲を構成する縁の部分に押圧され脚部７０Ａが負荷を受けることになるが、本実施の形態によれば、上述と同様の作用により脚部７０Ａが受ける負荷を低減できることは無論である。
また、第２の実施の形態では、液晶パネル２２の周囲を構成する縁の部分にフック７０の脚部７０Ａが当接することで、液晶パネル２２が表示面に沿った方向に大きく変位することを阻止でき、したがって、前パネル１４０１の開口１４０２と液晶パネル２２の表示面のとの相対的な位置ずれを最小限に抑制する上で有利となる。
【００２３】
なお、フック７０は前パネル１４０１に設けられていればよく、一体でも別体でもよいが、実施の形態のようにフック７０を前パネル１４０１と一体に設けると、部品点数を削減しコストダウンを図る上で有利となる。
また、本実施の形態では、フック７０を、液晶パネル２２の４辺に対応した箇所にそれぞれ複数設けた場合について説明したが、液晶パネル２２の各辺に対応した１箇所に設けるようにしてもよい。
また、本実施の形態では、フック７０を、２つの脚部７０Ａ、接続部７０Ｃ、爪部７０Ｂとで構成した場合について説明したが、フック７０を、１つの脚部７０Ａと１つの爪部７０Ｂとで構成してもよく、あるいは、フック７０を、３つの脚部７０Ａと１つの爪部７０Ｂとで構成してもよく、フック７０の構成は任意である。
【００２４】
なお、第１、第２の実施の形態では、液晶表示装置２０がテレビジョン装置に適用された場合について説明したが、本発明は、デスクトップ型のパーソナルコンピュータのモニタ装置、ノート型パーソナルコンピュータ、液晶表示装置を有するビデオカメラやデジタルスチルカメラなどの撮像装置、ＰＤＡ、携帯電話機に用いることができることは無論のこと、液晶表示装置を有する種々の電子機器に広く用いることができる。
【図面の簡単な説明】
【００２５】
【図１】第１の実施の形態の液晶表示装置２０を備えるテレビジョン装置１０の斜視図である。
【図２】第１の実施の形態の液晶表示装置２０を備えるテレビジョン装置１０の分解斜視図である。
【図３】液晶モジュール２１の分解斜視図である。
【図４】図１のＡＡ線断面図である。
【図５】前パネル１４０１の後面に形成されたフック５０の斜視図である。
【図６】トップシャーシ３６に形成された切り欠き５８の斜視図である。
【図７】図７は第２の実施の形態の液晶表示装置２０の構成を示す断面図である。
【符号の説明】
【００２６】
１２……筐体、１４０１……前パネル、１４０２……開口、２０……液晶表示装置、２１……液晶モジュール、２２……液晶パネル、２６……シャーシ、５０、７０……フック。
【図１】
2008090165.tif 000003
【図２】
2008090165.tif 000004
【図３】
2008090165.tif 000005
【図４】
2008090165.tif 000006
【図５】
2008090165.tif 000007
【図６】
2008090165.tif 000008
【図７】
2008090165.tif 000009